(57)【特許請求の範囲】
【請求項１】
原稿を読み取る読み取り手段と、
該読み取り手段に原稿を載置する際に、前記原稿の任意のページを重要度に応じて最重要ページ、重要ページと段階別に指定する重要ページ段階別指定手段と、
該重要ページ段階別指定手段によって指定された任意のページを重要度の順番に変更して受信側ファクシミリ装置へ送信するように制御するページ情報制御手段と、
を有することを特徴とするファクシミリ装置。
【請求項２】
前記ページ情報制御手段によって前記任意のページが重要度順に変更されて送信されることを前記受信側ファクシミリ装置に通知する通知手段を、
さらに有することを特徴とする請求項１記載のファクシミリ装置。
【請求項３】
前記通知手段によって通知されたページ順の変更情報を受信した際に、記録用紙の残り枚数が前記重要ページ段階別指定手段によって指定されたページ数以上存在する場合、前記ページ情報制御手段により前記ページ順の変更情報を元にページ順を入れ換えて元の順番で印刷処理することを特徴とする請求項２記載のファクシミリ装置。
【請求項４】
前記受信側ファクシミリ装置から記録用紙の残り枚数情報を受信した際に、前記残り枚数が前記原稿の総ページ数以上存在する場合、前記重要ページ段階別指定手段によって前記最重要ページおよび前記重要ページと指定されなかったページを、前記ページ情報制御手段によりページ順を入れ換えて元の順番で送信することを特徴とする請求項１から３のいずれか１項に記載のファクシミリ装置。
【請求項５】
Ｇ４プロトコルを用いて通信を行うことを特徴とする請求項１から４のいずれか１項に記載のファクシミリ装置。
【請求項６】
請求項１から５のいずれか１項に記載のファクシミリ装置を用いることを特徴とするファクシミリ送受信システム。
【発明の詳細な説明】
【０００１】
【発明の属する技術分野】
本発明は、受信側ファクシミリ装置において確実に印字させたい重要な原稿を送信するファクシミリ装置およびファクシミリ送受信システムに関する。
【０００２】
【従来の技術】
ロール紙を使用するファクシミリ装置において、用紙残量が残り少なくなった場合に、Ｇ３通信手順によって送信側にその旨通知し、またこれを受けた送信側においては受信側の記録紙残量状況から判断して切断メッセージを送信するというファクシミリ装置が特開平５−１１４９７１号公報に開示されている。
【０００３】
【発明が解決しようとする課題】
しかしながら、上記従来例においては、送信側が画情報の送信をページ単位で中断するものであり、通信エラーとはならないものの、送信側は依然として再発呼して残りのページを送り直さなければならないという問題がある。
【０００４】
本発明は、ユーザが任意のページを重要原稿として指定する際に、重要度に応じて重要段階別に指定することにより、確実に送信したいページから順に送信できるファクシミリ装置およびファクシミリ送受信システムを提供することを目的とする。
【０００５】
【課題を解決するための手段】
前記課題を解決するために、請求項１記載の発明は、原稿を読み取る読み取り手段と、読み取り手段に原稿を載置する際に、原稿の任意のページを重要度に応じて最重要ページ、重要ページと段階別に指定する重要ページ段階別指定手段と、重要ページ段階別指定手段によって指定された任意のページを重要度の順番に変更して受信側ファクシミリ装置へ送信するように制御するページ情報制御手段と、を有することを特徴とする。
【０００６】
請求項２記載の発明は、請求項１記載の発明において、ページ情報制御手段によって任意のページが重要度順に変更されて送信されることを受信側ファクシミリ装置に通知する通知手段を、さらに有することを特徴とする。
【０００７】
請求項３記載の発明は、請求項２記載の発明において、通知手段によって通知されたページ順の変更情報を受信した際に、記録用紙の残り枚数が重要ページ段階別指定手段によって指定されたページ数以上存在する場合、ページ情報制御手段によりページ順の変更情報を元にページ順を入れ換えて元の順番で印刷処理することを特徴とする。
【０００８】
請求項４記載の発明は、請求項１から３のいずれか１項に記載の発明において、受信側ファクシミリ装置から記録用紙の残り枚数情報を受信した際に、受信側ファクシミリ装置の残り枚数が、送信する原稿の総ページ数以上存在する場合、重要ページ段階別指定手段によって最重要ページおよび前記重要ページと指定されなかったページを、ページ情報制御手段によりページ順を入れ換えて元の順番で送信することを特徴とする。
【０００９】
請求項５記載の発明は、請求項１から４のいずれか１項に記載の発明においてＧ４プロトコルを用いて通信を行うことを特徴とする。
【００１０】
請求項６記載の発明は、請求項１から５のいずれか１項に記載のファクシミリ装置を用いることを特徴とする。
【００１１】
【発明の実施の形態】
次に、本発明のファクシミリ装置の実施形態を図面を参照に詳細に説明する。図１は、本発明の一実施形態を示すファクシミリ装置のブロック構成図である。図１に示すように、ファクシミリ装置は、ファクシミリ装置としての基本プログラムや処理プログラムなどが格納されているＲＯＭ１と、ＲＯＭ１内のプログラムに従ってファクシミリ装置の各部を制御して処理を実行するＣＰＵ２と、ワークエリアが形成されてファクシミリ装置の制御に必要な種々のデータが記憶されているＲＡＭ３と、原稿を読みとるスキャナ４と、コピーや受信原稿の印字を行うプロッタ５と、ユーザからの操作を入力し、情報をユーザに伝える操作表示制御部６と、相手ファクシミリ装置との間でファクシミリ制御信号を交換し、ファクシミリ通信手順を実行する通信制御部（ＣＣＵ）７と、送信信号の変調、受信信号の復調を行なうモデム８と、画像の蓄積を行なうＳＡＦ９と、画情報を所定の符号化方式に従って符号化し、また、符号化された画情報を復号化する符号化／復号化部（ＤＣＲ）１０と、通信回線の制御を行なうネットワーク制御部（ＮＣＵ）１１と、用紙やメモリの残量を算出する残量情報制御部１３と、送信時の重要情報を設定し、ページ順の変更や戻しを制御するページ情報制御部１４と、上記各部及び装置を接続するデータバス１２とから構成される。
【００１２】
図２は、本発明の一実施形態の動作を示すフローチャートである。また、図３および図４に示されるのは、本実施形態の通信を制御する通信プロトコルを示すシーケンス図である。図２のフローチャートにおいて図３、図４の通信プロトコルのシーケンス図を用いて本発明の実施形態を説明する。
【００１３】
図２に示すように、本発明のファクシミリ送受信システムを受信側と送信側の２つのフローチャートに分けて説明する。この時点での画像データは、スキャナ４によって読み込まれ、ＳＡＦ９に蓄積されている状態である。
【００１４】
送信側ファクシミリ装置において、ユーザは原稿蓄積時に１ページごとに最重要、重要といった送信条件を指定する（ステップ１０１）。ステップ１０１において指定しなかったページについては通常の扱いとする。原稿蓄積後、最重要なページから順番に送信するために送信するページ順序を変更する（ステップ１０２）。以上の情報はページ情報制御部１４にて変更を行った後に蓄積される。その後、発呼し、送信に入る（ステップ１０３）。
【００１５】
一方、受信側ファクシミリ装置においては、トレイ上昇型の給紙段から給紙残量情報を得る（ステップ２０１）。また、メモリ受信可能なメモリ容量情報を予め得ておく。以上の情報は、残量情報制御部１３にて行う。
【００１６】
通信開始後、受信側はＤチャネルレイヤ３、ＵＳＥＲＩＮＦＯのＵＵＩ（ユーザ間情報通知）に紙残量情報、メモリ残量情報を付加する（ステップ２０２）。これは残量情報制御部１３にて行う。これを受けた送信側は紙及びメモリの残量が自機の送信ページ数を満足するか否か判断する。これはページ情報制御部１４にて行う。例えば、最重要情報は印字出力されねばならず、重要情報はメモリ受信されねばならない、あるいは通常のページも含めて最低メモリ受信はされるなど、送信する情報の重要度によって予めユーザが設定しておく。
【００１７】
通信を継続する場合には画情報の送信を開始する。受信側ではメモリ受信を行い、メモリが無くなる時点でそれまで受信したページを印字開始する。これにより、送信側の意図するページまで印字出力し、紙が無くなったときにはメモリ内に送信側の意図するページが収められていることになる。また、受信終了時点で全てメモリ受信できており、かつ、記録紙に受信ページ数以上の余裕がある場合には、受信側ファクシミリ装置はＢチャネルレイヤ５、ＣＤＣＬのＳＵＤにて受信したページ順変更情報を参照し、元の順番に整理して（ステップ２１０）、記録紙を出力する（ステップ２０９）。以上はページ情報制御部１４にて行われる。
【００１８】
一方、送信側が送信不可能と判断した場合にはＤチャネルレイヤ３ＤＩＳＣのＵＵＩ（ユーザ間情報通知）にてその旨通知し（ステップ１０７）、送信を終了する（ステップ１０８）。これを受信した受信側は、自機の表示部に残量不足である旨を表示する（ステップ２１２）。
【００１９】
【発明の効果】
以上の説明より明らかなように、本発明によれば、受信側ファクシミリ装置は、残量情報を原稿が送信される前の段階で送信側ファクシミリ装置に送信するので、受信側ファクシミリ装置で受信可能か不可能かといった情報を送信前に判断でき、受信不可能な場合は、その旨のメッセージを受信側ファクシミリ装置へ送信することで、ユーザは送信されない理由が一目で分かり、無駄な送信を行わないので通信費を軽減することができる。
【００２０】
また、本発明によれば、受信側ファクシミリ装置において、ユーザはファクシミリ受信されない際に、記録用紙が不足しているのか、または記憶容量が不足しているのかが一目で分かるので大変使い勝手が良くなる。
【００２１】
また、本発明によれば、ユーザは任意のページを重要原稿として指定する際に、重要度に応じて重要段階別に指定できるので確実に送信したいものから順に送信することができる。
【００２２】
また、本発明によれば、重要ページに指定された以外の印刷処理が可能な場合に、原稿を元の順番で印刷出力するのでユーザの使い勝手が大変良くなる。
【図面の簡単な説明】
【図１】本発明の一実施形態であるファクシミリ装置を示すブロック構成図である。
【図２】本発明の一実施形態であるファクシミリ装置の送受信時の動作を示すフローチャートである。
【図３】本発明の一実施形態であるファクシミリ装置の第１の通信プロトコルの送信例を示す図である。
【図４】本発明の一実施形態であるファクシミリ装置の第２の通信プロトコルの送信例を示す図である。
【符号の説明】
１  ＲＯＭ
２  ＣＰＵ
３  ＲＡＭ
４  スキャナ
５  プロッタ
６  操作表示制御部
７  ＣＣＵ
８  モデム
９  ＳＡＦ
１０  符号化／復号化部
１１  ＮＣＵ
１２  データバス
１３  残量情報制御部
１４  ページ情報制御部
【図１】
0003682368.tif 000002
【図２】
0003682368.tif 000003
【図３】
0003682368.tif 000004
【図４】
0003682368.tif 000005